(57)【要約】      （修正有）【課題】遊技場の従業員に負担を強いることなく、遊技媒体受入具の設置位置を容易に変更可能な遊技媒体受入具の固定器具および固定構造を提供する。【解決手段】遊技球受入具２１を、遊技機が設置された膳板５に固定するための固定器具３０であって、膳板５に固定されるホルダ部３１と、ホルダ部３１に対して着脱自在に設けられた位置調節用部品３２とを備える。位置調節用部品３２は、遊技球受入具２１の脚部２３が入り込む第１，第２係止溝３６−１，３６−２を有する。第１，第２係止溝３６−１，３６−２は、ホルダ部３１の遊技機側端部からの距離が異なっており、ホルダ部３１への位置調節用部品３２の装着の向きを変えることで、何れか一方を選択に用いることができる。【選択図】図３
2018102553.tif 000002
【特許請求の範囲】
【請求項１】
遊技機の受皿から落下する遊技媒体を受け入れる遊技媒体受入具を、前記遊技機が設置された膳板に固定するための固定器具であって、
前記遊技機に対する前記遊技媒体受入具の前後方向の位置を調節する位置調節機能を備えることを特徴とする固定器具。
【請求項２】
前記膳板に固定される固定部と、
前記固定部に対して着脱自在に設けられた位置調節用部品と、を備え、
前記位置調節用部品は、前記遊技媒体受入具を係止して前記遊技媒体受入具の前記前後方向の移動を少なくとも規制する係止部を有し、
前記係止部は複数有り、当該位置調節用部品における遊技機側端部からの距離が相互に異なることを特徴とする請求項１に記載の固定器具。
【請求項３】
前記係止部が、前記遊技媒体受入具の前記前後方向の移動および上下方向の移動の両方を規制することを特徴とする請求項２に記載の固定器具。
【請求項４】
前記位置調節用部品は、前記固定部に対して向きを変えて装着可能であり、前記装着の向きに応じて、複数の前記係止部のうちの１つが前記遊技媒体受入具と係止することを特徴とする請求項２又は３に記載の固定器具。
【請求項５】
前記位置調節用部品を交換可能に複数備え、装着された前記位置調節用部品に応じて、複数の前記係止部のうちの１つが前記遊技媒体受入具と係止することを特徴とする請求項２又は３に記載の固定器具。
【請求項６】
前記位置調節用部品は、前記膳板の面に沿った第１平板部を有し、前記固定部に装着された状態で、前記第１平板部と前記膳板との間に、前記遊技媒体受入具の底部に設けられた脚部の下端部のフランジ状の底足部が挿入される第１空間部を形成し、
前記係止部として、前記第１平板部が、前記底足部に当接して前記遊技媒体受入具の前記膳板の面の法線方向の移動を規制し、かつ、前記第１平板部における前記底足部が挿入される側に位置する外縁部に、前記脚部が入り込む係止溝を有することを特徴とする請求項２又は３に記載の固定器具。
【請求項７】
前記固定部は、前記膳板の面に沿った第２平板部を有し、前記膳板に固定された状態で、前記第２平板部と前記膳板との間に第２空間部を形成し、該第２空間部に、前記位置調節用部品が、前記第１平板部を前記第２平板部に沿わせて挿入されることを特徴とする請求項６に記載の固定器具。
【請求項８】
前記係止溝は、前記遊技機側端部からの距離が大きくなるほど深くあるいは浅く形成されていることを特徴とする請求項６又は７に記載の固定器具。
【請求項９】
遊技機の受皿から落下する遊技媒体を受け入れる遊技媒体受入具を、前記遊技機が設置された膳板に固定する固定構造であって、
前記遊技機に対する前記遊技媒体受入具の前後方向の位置を調節する位置調節機能を備えることを特徴とする固定構造。
【発明の詳細な説明】
【技術分野】
【０００１】
本発明は、遊技機の受皿から落下する遊技媒体を受け入れる遊技媒体受入具を遊技島の膳板に固定する固定器具および固定構造に関する。
【背景技術】
【０００２】
従来、一対のパチンコ機（遊技機）および台間機毎に対応付けて設置され、パチンコ機の前面下部の受皿から落下する遊技媒体を台間機の下端側に収納されている玉計数機に案内する遊技媒体案内ユニットが知られている。遊技媒体案内ユニットは、遊技媒体を受け入れる遊技媒体受入具と、遊技媒体受入具の一端から延びる案内流路部とを主に有している。案内流路部は一端側が台間機の下端部に接続され、遊技媒体受入具内の遊技媒体を玉計数機に流下させるものである。
【０００３】
また、このような遊技媒体案内ユニットは、遊技島の膳板に固定することも行われている。これは、遊技媒体案内ユニットの案内流路部の一端側を台間機と接続しただけの構成では、遊技媒体受入具側が動かされた場合等に、台間機との接続部に負荷が集中して、接続部が破壊される恐れがあるためである。
【０００４】
例えば、特許文献１には、遊技島の膳板に両面テープ等で固定用のベースを取り付け、該ベースに、遊技媒体受入具の底部に設けられた脚部を挿入することで、遊技媒体受入具を膳板に固定する構成が記載されている。
【先行技術文献】
【特許文献】
【０００５】
【特許文献１】特許第５４６５１１３号明細書
【発明の概要】
【発明が解決しようとする課題】
【０００６】
ところで、最近では、演出やデザインにこだわった様々な遊技機が開発されており、遊技機の下部にも立体的な装飾が施されることがある。その場合、遊技媒体受入具が遊技機と緩衝することがあり、遊技媒体案内ユニットの設置位置を変更する必要が生じる。
【０００７】
しかしながら、前述した従来の遊技媒体受入具の固定構造では、遊技媒体受入具の設置位置を容易に変更できるものではなく、変更するには、ベースを膳板から外し、新しい位置に付け直す必要がある。上述したように、案内流路部の一端側は台間機に接続されているため、台間機との距離を確認しながら付け直す必要があり、専用の治具等を必要とする。しかも、このような作業は、遊技機一台一台に行う必要がり、遊技場の従業員にとって甚だ手間の掛かる面倒な作業となり、負担が強いられる。
【０００８】
本発明は上記の問題に鑑みてなされたものであり、その目的は、遊技場の従業員の負担を強いることなく、遊技媒体受入具の設置位置を容易に変更可能な遊技媒体受入具の固定器具および固定構造を提供することにある。
【課題を解決するための手段】
【０００９】
本発明に係る固定器具は、上記課題を解決するために、遊技機の受皿から落下する遊技媒体を受け入れる遊技媒体受入具を、前記遊技機が設置された膳板に固定するための固定器具であって、前記遊技機に対する前記遊技媒体受入具の前後方向の位置を調節する位置調節機能を備えることを特徴としている。
【００１０】
上記構成によれば、位置調節機能により、遊技機に対する遊技媒体受入具の前後方向の位置を調節することができ、遊技媒体受入具の位置調節作業において、遊技場の従業員に負担を軽減することができる。
【００１１】
本発明に係る固定器具は、さらに、前記膳板に固定される固定部と、前記固定部に対して着脱自在に設けられた位置調節用部品と、を備え、前記位置調節用部品は、遊技媒体受入具を係止して前記遊技媒体受入具の前記前後方向の移動を少なくとも規制する係止部を有し、前記係止部は複数有り、当該位置調節用部品における遊技機側端部からの距離が相互に異なる構成とすることができる。
【００１２】
上記構成によれば、位置調節機能を容易に実現できる。すなわち、固定部品を、膳板に固定される固定部と、固定部に着脱自在に設けられた位置調節用部品との２部品構造とし、位置調節用部品に、遊技媒体受入具を係止して遊技媒体受入具の前後方向の移動を少なくとも規制する係止部を設けた。そして、該係止部を複数とし、遊技機側端部からの距離を相互に異ならせた。
【００１３】
複数の係合部の遊技機側端部からの距離が相互に異なることで、遊技媒体受入具と係止させる係合部を切り換えることで、膳板と固定部品との固定を外すことなく、遊技媒体受入具の前後方向の位置を容易に調節することができる。このような作業は、従来の膳板からベース等の固定器具を取り外し、治具を用いて台間機との位置関係を確認しながら付け直す作業に比べて、格段に容易である。
【００１４】
しかも、遊技機の種類が同じであれば、全ての遊技機において用いる係止部は同じであるので、その内の１台の遊技機において、用いる係合部を決定するだけで、他の遊技機においては適合の確認を行うことなく調節することができる。これにより、遊技媒体受入具の設置位置の変更作業を迅速に実施することができる。
【００１５】
本発明に係る固定器具は、さらに、前記係止部が、前記遊技媒体受入具の前記前後方向の移動および上下方向の移動の両方を規制する構成とすることもできる。
【００１６】
上記構成によれば、１つの係止部にて遊技媒体受入具の前後方向の移動および上下方向の移動の両方を規制できるため、構造の簡素化が図れる。
【００１７】
本発明に係る固定器具は、さらに、前記位置調節用部品は、前記固定部に対して向きを変えて装着可能であり、前記装着の向きに応じて、複数の前記係止部のうちの１つが前記遊技媒体受入具と係止する構成とすることもできる。
【００１８】
上記構成によれば、固定部より位置調節用部品を抜き出し、向きを変えて装着するだけで、遊技媒体受入具と係止させる係合部を切り換えて、遊技媒体受入具の設置位置を変更できる。
【００１９】
本発明に係る固定器具は、さらに、前記位置調節用部品を交換可能に複数備え、装着された前記位置調節用部品に応じて、複数の前記係止部のうちの１つが前記遊技媒体受入具と係止する構成とすることもできる。
【００２０】
上記構成によれば、固定部より位置調節用部品を抜き出し、別の位置調節用部品に変更するだけで、遊技媒体受入具と係止させる係合部を切り換えて、技媒体受入具の設置位置を変更できる。
【００２１】
本発明に係る固定器具は、さらに、前記位置調節用部品は、前記膳板の面に沿った第１平板部を有し、前記固定部に装着された状態で、前記第１平板部と前記膳板との間に、前記遊技媒体受入具の底部に設けられた脚部の下端部のフランジ状の底足部が挿入される第１空間部を形成し、前記係止部として、前記第１平板部が、前記底足部に当接して前記遊技媒体受入具の前記膳板の面の法線方向の移動を規制し、かつ、前記第１平板部における前記底足部が挿入される側に位置する外縁部に、前記脚部が入り込む係止溝を有すること構成とすることもできる。
【００２２】
上記構成によれば、位置調節用部品が固定部に装着された状態で、第１平板部と膳板との間に第１空間部が形成され、該第１空間部に、遊技媒体受入具の底部に設けられた脚部の底足部が挿入される。底足部は脚部にフランジ状に形成されている。これにより、第１平板部が底足部に当接して、遊技媒体受入具の膳板の面の法線方向の移動を規制する。また、第１平板部における底足部が挿入される側に位置する外縁部には、係止溝が形成されており、遊技媒体受入具の脚部が該係止溝に入り込むことで、遊技媒体受入具の前後方向の移動が規制される。
【００２３】
このような構成とすることで、脚部の下端部にフランジ状の底足部を有する遊技媒体受入具を調節容易に固定することが可能となる。
【００２４】
本発明に係る固定器具は、さらに、前記固定部は、前記膳板の面に沿った第２平板部を有し、前記膳板に固定された状態で、前記第２平板部と前記膳板との間に第２空間部を形成し、該第２空間部に、前記位置調節用部品が、前記第１平板部を前記第２平板部に沿わせて挿入される構成とすることもできる。
【００２５】
上記構成によれば、固定部が膳板に固定された状態で、第２平板部と膳板との間に第２空間部が形成され、該第２空間部に、位置調節用部品が、第１平板部を第２平板部に沿わせて挿入される。
【００２６】
このような構成とすることで、膳板の面に沿った薄型の形状の固定器具を実現することができる。
【００２７】
本発明に係る固定器具は、さらに、前記係止溝は、前記遊技機側端部からの距離が大きくなるほど深くあるいは浅く形成されている構成とすることもできる。
【００２８】
遊技媒体受入具の一端から延びる案内流路部と台間機等との接続部が回転可能に構成されている場合、遊技機から離れるほど脚部が台間機のある左側に近づく。したがって、上記のように、遊技機側端部からの距離が大きくなるほど深くあるいは浅く形成しておくことで、このような左右方向の距離の変化にも対応可能となる。固定器具の右側に係止溝を設け右側より底足部を挿入する場合は遊技機側端部からの距離が大きくなるほど深く形成し、固定器具の左側に係止溝を設け左側より底足部を挿入する場合は遊技機側端部からの距離が大きくなるほど浅く形成する。
【００２９】
本発明に係る固定構造は、遊技機の受皿から落下する遊技媒体を受け入れる遊技媒体受入具を、前記遊技機が設置された膳板に固定する固定構造であって、前記遊技機に対する前記遊技媒体受入具の前後方向の位置を調節する位置調節機能を備えることを特徴としている。
【００３０】
上記構成によれば、位置調節機能により、遊技機に対する遊技媒体受入具の前後方向の位置を調節することができ、遊技媒体受入具の位置調節作業において、遊技場の従業員に負担を軽減することができる。
【発明の効果】
【００３１】
本発明は、遊技場の従業員に負担を強いることなく、遊技媒体受入具の設置位置を容易に変更可能な遊技媒体受入具の固定器具および固定構造を提供することができるといった効果を奏する。
【図面の簡単な説明】
【００３２】
【図１】本発明の実施の一形態を示すもので、本実施の形態に係る遊技媒体受入具の固定器具およびこれを用いた固定構造が採用された遊技島を前方から見た斜視図である。
【図２】上記遊技島に配設された１組の遊技機と台間機と遊技球案内ユニットとを示す斜視図である。
【図３】上記遊技球案内ユニットにおける遊技球受入具の膳板への固定構造を示す、図２における○で囲ったＡ部の一部破断拡大図である。
【図４】上記遊技球受入具を膳板へ固定する固定器具の斜視図であり、ホルダ部に位置調節用部品が装着されている状態を示す。
【図５】上記遊技球受入具を膳板へ固定する固定器具の斜視図であり、ホルダ部から位置調節用部品が引き出された状態を示す。
【図６】膳板に固定された上記固定器具に遊技球受入具の脚部が挿入された状態を示す斜視図である。
【図７】上記固定器具における位置調節用部品の平面図である。
【図８】上記固定器具における使用する係止溝を切り換えた場合の、遊技機からの距離を示す説明図である。
【図９】本発明の実施の他の形態を示すもので、本実施の形態に係る固定器具における位置調節用部品の斜視図である。
【図１０】図９に示す固定器具における位置調節用部品の平面図である。
【図１１】本実施の形態に係る変形例の固定器具の構成を示す平面図である。
【図１２】本実施の形態に係る遊技媒体受入具の固定構造を示す斜視図である。
【発明を実施するための形態】
【００３３】
〔実施の形態１〕
以下、本発明の実施の形態について、図面を参照して詳細に説明する。なお、本実施の形態では、遊技媒体として遊技球を用いる遊技機（所謂、パチンコ機）を例示する。また、説明においては、特に断らない限り、遊技機に対して遊技者側を前側、前側の反対側を後側とし、遊技者から見て左を左側、右を右側とし、遊技者から見て上を上側、下を下側とする。
【００３４】
図１は、本実施の形態に係る遊技媒体受入具の固定器具およびこれを用いた固定構造が採用されている遊技島１を前方から見た斜視図である。図１に示すように、遊技島１においては、遊技機２と台間機３と遊技球案内ユニット（遊技媒体案内ユニット）２０とが、島の膳板５上に複数列設されている。遊技島１の上部には、遊技球供給装置６から流入される遊技球（遊技媒体）を各台間機３に供給する島球通路４が配設されている。
【００３５】
図２は、遊技島１に配設された１組の遊技機２と台間機３と遊技球案内ユニット２０とを示す斜視図である。
【００３６】
遊技機２は、図２に示すように、前面がガラス扉で覆われた遊技盤７が設けられている。遊技盤７の前面には遊技領域が形成されている。遊技機２の下部表面には打球供給皿８が設けられ、その打球供給皿８の下方には、打球供給皿８から溢れた遊技球を貯留する下皿９と打球を発射する打球操作ハンドル１０とが設けられている。遊技者がこの打球操作ハンドル１０を回動操作することにより、打球供給皿８内の遊技球が遊技領域内に弾発発射される。
【００３７】
遊技機２の左側には、遊技球の貸し出しを行う台間機３が隣接して配置されている。台間機３の下端部には、球計数機１１が収容されている。球計数機１１は、通過する遊技球をそれぞれ検知して計数する遮光型フォトセンサなどの計数センサを有したユニットである。計数を終えた遊技球は、球計数機１１の背面側の排出口（不図示）から遊技島１の内部に排出されて回収される。
【００３８】
遊技機２の下部であって、下皿９の下方には、遊技球案内ユニット２０が一対の遊技機２および台間機３毎に対応付けて設置されている。遊技球案内ユニット２０は、下皿９から落下する遊技球を、台間機３の下端側に収納されている球計数機１１に案内する器具である。
【００３９】
遊技球案内ユニット２０は、図２に示すように、遊技球を受け入れる遊技球受入具（遊技媒体受入具）２１と、遊技球受入具２１内の遊技球を球計数機１１に流下させる案内流路部２２と有している。案内流路部２２は、遊技球受入具２１の一端から延び、他端側が台間機３の下端側に接続されている。
【００４０】
遊技機２から下皿９に払い出された遊技球は、遊技者の排出レバー（不図示）のスライド操作によって下皿９底部のシャッタ（不図示）が開くことにより、遊技球受入具２１へ落下する。遊技球受入具２１に落下した遊技球が、案内流路部２２を介して前記球計数機１１に案内される。
【００４１】
図３は、遊技球案内ユニット２０における遊技球受入具２１の膳板５への固定構造を示す、図２における○で囲ったＡ部の一部破断拡大図である。図３に示すように、遊技球受入具２１の底部には、高さ調節機構（不図示）を有する脚部２３が突設されている。脚部２３は、膳板５に突き当たる底足部２４と、該底足部２４に立設された軸部２５とを有し、底足部２４は、軸部２５にフランジ状に形成されている。脚部２３は、底足部２４を膳板５に突き当てて、遊技球受入具２１を膳板５から所望の高さに支持するものである。
【００４２】
遊技球受入具２１は、このような脚部２３と、膳板５側に取り付けられた固定器具３０とを用いて膳板５に固定されている。固定器具３０は、遊技球受入具２１を膳板５に固定するための器具である。
【００４３】
固定器具３０は、遊技機２に対する遊技球受入具２１の前後方向の位置を調節する位置調節機能を備えている。より具体的には、固定器具３０は、膳板５に固定されるホルダ部（固定部）３１と、ホルダ部３１に対して着脱自在に設けられた位置調節用部品３２と、を備え、位置調節用部品３２は、遊技球受入具２１を係止して遊技球受入具２１の前後方向の移動を少なくとも規制する係止溝（係止部）３６を有し、係止溝３６は複数有り、ホルダ部３１の遊技機側端部からの距離が相互に異なる。ここで、位置調節用部品３２は、ホルダ部３１に対して向きを変えて装着可能であり、装着の向きに応じて、複数の係止溝３６（３６−１，３６−２）うちの１つが遊技球受入具２１と係止する。
【００４４】
遊技球受入具２１は、脚部２３の底足部２４を固定器具３０に挿入（差し込む）ことで、底足部２４および軸部２５が固定器具３０に係止され、膳板５に固定されている。図３の例では、固定器具３０は、右側に開口部３５が位置するように取り付けられており、底足部２４を右側より固定器具３０と膳板５との間のスペース（第１空間）に挿入し、軸部２５の下端部（根元の部分）が固定器具３０に形成された係止溝３６に入り込むまで挿入される。なお、固定器具３０を、左側に開口部３５が位置するように取り付け、底足部２４を左側から脚部２３を挿入することもできる。
【００４５】
図４、図５は、膳板５に固定した状態の固定器具３０の斜視図である。図４は、ホルダ部３１に位置調節用部品３２が装着されている状態を示し、図５は、ホルダ部３１から位置調節用部品３２が引き出された状態を示している。また、図６は、膳板５に固定された固定器具３０に遊技球受入具２１の脚部２３が挿入された状態を示す斜視図である。なお、図６では、遊技球受入具２１の記載を省略し、脚部２３のみ記載している。また、図７は、位置調節用部品３２の平面図である。
【００４６】
図４〜図６に示すように、ホルダ部３１および位置調節用部品３２は何れも平面視で正方形形状の薄型の部品である。位置調節用部品３２は、ホルダ部３１の内側面に沿ってホルダ部３１内に挿着される。ホルダ部３１における右側は開放されて開口部３５となっており、位置調節用部品３２は、この開口部３５よりホルダ部３１内にスライドさせることで挿入され、取り付けられる。
【００４７】
位置調節用部品３２には、軸部２５を係止させる前記係止溝３６（図３参照）として、第１係止溝３６−１と第２係止溝３６−２とを有し、これらは、相対する２辺に形成されている。位置調節用部品３２は、第１係止溝３６−１が開口部３５側に位置する第１の向きと、および第２係止溝３６−２が開口部３５側に位置する第２の向きのどちらの向きにも取り付けられるように構成されている。
【００４８】
ホルダ部３１は、平面視で正方形状のホルダ側平板部（第２平板部）３１ａを有している。ホルダ側平板部３１ａの周囲には、立設壁部３１ｂが下方に向かって立設されている。本実施の形態では、開口部３５が設けられる右側を除いて、前側、後側、左側に立設壁部３１ｂが設けられている。立設壁部３１ｂが設けられることで、ホルダ側平板部３１ａの裏面と膳板５との間に、位置調節用部品３２を装着させるスペース（第２空間部）が確保される。また、前側、後側の立設壁部３１ｂは、位置調節用部品３２の着脱時に、位置調節用部品３２を案内するガイドとしても機能する。また、左側の立設壁部３１ｂは、挿入された位置調節用部品３２が突き当たって停止するストッパーとしても機能する。
【００４９】
立設壁部３１ｂの下端部には、ホルダ側平板部３１ａの外周に向けて張り出す、ホルダ部３１を膳板５に取り付けるための取付部３１ｃが形成されている。該取付部３１ｃと膳板５とは、例えば両面テープ等を用いて取り付けられている。
【００５０】
開口部３５が設けられているホルダ側平板部３１ａの右側の辺には、平面視で幅広のＵの字状の切欠き穴３１ｄが開口部３５より中央に向かって形成されている。この切欠き穴３１ｄは、位置調節用部品３２が、第１、第２のどちらの向きで装着された場合でも、第１，第２係止溝３６−１，３６−２と緩衝しないように、幅広に形成されている。
【００５１】
また、開口部３５とは反対側となる、ホルダ側平板部３１ａの左側の辺には、ホルダ側平板部３１ａから立設壁部３１ｂに至る、切欠き部３１ｅが形成されている。切欠き部３１ｅが設けられることで、位置調節用部品３２の左側が露出し、位置調節用部品３２のホルダ部３１からの抜き出しが容易になる。このようなホルダ部３１は、例えば板金を用いて構成される。
【００５２】
一方、位置調節用部品３２は、ホルダ部３１に装着された状態で、ホルダ側平板部３１ａの裏面に重畳して配設される部品側平板部（第１平板部）３２ａを有する。部品側平板部３２ａの周囲おける四隅には、支持脚３２ｂが下方に向かって立設されている。支持脚３２ｂによって部品側平板部３２ａの裏面側に形成される膳板５と間のスペース（第１空間部）に、脚部２３の底足部２４が挿入される。部品側平板部３２ａが底足部２４に当接して、遊技球受入具２１の上下方向（膳板５の面の法線方向）の移動を規制する。なお、上下方向の遊びが小さい状態で遊技球受入具２１を固定するには、底足部２４が挿入される該スペースの高さを、底足部２４の厚みと同等とすることが好ましい。
【００５３】
また、部品側平板部３２ａにおける、挿入方向に沿った２辺の少なくとも一方の端面には、当接バネ部３２ｃが形成されている（図５、図７参照）。当接バネ部３２ｃは、ホルダ部３１に装着された状態において、ホルダ部３１の内側から、前あるいは後の立設壁部３１ｂに付勢力を持って突っ張るように当接することで、ホルダ部３１内に位置調節用部品３２を係止させるものである。このような当接バネ部３２ｃを設けることで、ホルダ部３１と位置調節用部品３２とを一つの部品として扱うことができる。
【００５４】
前述した第１，第２係止溝３６−１，３６−２は、このような部品側平板部３２ａの外縁部における相対する２辺に形成されている。第１，第２係止溝３６−１，３６−２が形成されている２辺は、ホルダ部３１へ取り付ける際の挿入方向と直交する辺である。
【００５５】
位置調節用部品３２をホルダ部３１に対し、第２係止溝３６−２が形成されている辺を前方として挿入した場合（第１の向き）、挿入方向後方の第１係止溝３６−１が開口部３５に位置し、第１係止溝３６−１が軸部２５を係止させる。逆に、第１係止溝３６−１が形成されている辺を前方として挿入した場合（第２の向き）は、第２係止溝３６−２が開口部３５に位置し、第２係止溝３６−２が軸部２５を係止させる。
【００５６】
第１，第２係止溝３６−１，３６−２は何れも、平面視でＵの字状を呈し、部品側平板部３２ａの外周部の端面から中央に向かって形成されている。第１，第２係止溝３６−１，３６−２の何れか開口部３５に位置する方に遊技球受入具２１の脚部２３が入り込むことで、遊技球受入具２１の前後方向の移動が規制される。なお、前後方向の遊びが小さい状態で遊技球受入具２１を固定するには、第１，第２係止溝３６−１，３６−２の形状を、軸部２５の外周面の形状と対応させることが好ましい。
【００５７】
これら第１，第２係止溝３６−１，３６−２は、形状的には同じであるが、部品側平板部３２ａにおける形成位置が異なっている。つまり、図７に示すように、第１係止溝３６−１は、辺Ｈ１からの距離がＬ１となる位置に形成されている。一方、第２係止溝３６−２は、辺Ｈ２からの距離がＬ２となる位置に形成されている。距離Ｌ１と距離Ｌ２とは、Ｌ１＜Ｌ２の関係にある。ここで、辺Ｈ１は、位置調節用部品３２が、第１係止溝３６−１が開口部３５に位置するように挿入された状態で、前側の立設壁部３１ｂと突き当たる辺である。辺Ｈ２は、位置調節用部品３２が、第２係止溝３６−１が開口部３５に位置するように挿入された状態で、前側の立設壁部３１ｂと突き当たる辺である。
【００５８】
このような構成とすることで、遊技球受入具２１をホルダ部３１に挿入する際の位置調節用部品３２の向きを切り換えることで、第１係止溝３６−１と第２係止溝３６−２とを選択的に用いることが可能となり、脚部２３の固定位置（遊技球受入具２１の設置位置）を容易に変更することができる。
【００５９】
図８は、固定器具３０における使用する係止溝３６を切り換えた場合の、遊技機２からの距離を示す説明図である。図８に示すように、第１係止溝３６−１を使用した場合、遊技機２の下部の前端ラインからの距離はＬ３である。一方、第２係止溝３６−２を使用した場合は、遊技機２の下部の前端ラインからの距離は、Ｌ３よりも長いＬ４となる。
【００６０】
このように、上記構成の固定器具３０を用いることで、ホルダ部３１を取り外すことなく、位置調節用部品３２をホルダ部３１に挿入する向きを変えて、使用する係止溝を第１係止溝３６−１と第２係止溝３６−２との間で切り換えるだけで、遊技球受入具２１の遊技機２に対する設置位置を変更することができる。このような作業は、従来のベースを膳板５から取り外し、治具を用いて台間機との位置関係を確認しながら付け直す作業に比べて、格段に容易である。
【００６１】
しかも、遊技機の種類が同じであれば、全ての遊技機において使用する係止溝３６は同じである。したがって、その内の１台の遊技機において、第１係止溝３６−１あるいは第２係止溝３６−２の何れが適合しているかを決定するだけで、他の遊技機においては適合の確認を行うことなく調節することができる。これにより、遊技球受入具の設置位置の変更作業を迅速に実施することができる。
【００６２】
なお、上記説明においては、第１，第２係止溝３６−１，３６−２は、形状的には同じであるとしたが、遊技機２からの離間距離の大きい第２係止溝３６−２側を、第１係止溝３６−１よりも若干深く形成することが必要な場合もある。
【００６３】
前述したように、遊技球案内ユニット２０における案内流路部２２の一端側は、台間機３に接続されている。そのため、遊技球案内ユニット２０の位置を調節する場合、台間機３ごと前方に引き出したり、案内流路部２２と台間機３との接続部を回転させたりする必要がある。台間機３ごと移動させる場合は、平行移動であるため、脚部２３の左右の位置は変更されないため、第１，第２係止溝３６−１，３６−２の深さは全く同じよい。これに対し、接続部を回転させる構成では、脚部２３は、前方になるほど台間機３のある左側に変位する。そのため、ホルダ部３１の遊技機側端部からの距離が大きいほど、深く形成する必要がある。なお、固定器具の左側に係止溝３６を設け左側より底足部２４を挿入する場合はホルダ部３１の遊技機側端部からの距離が大きくなるほど浅く形成すればよい。
【００６４】
また、上記説明においては、位置調節用部品３２がホルダ部３１の内側に装着される構成を例示したが、位置調節用部品をホルダ部３１よりも大きく形成しておき、位置調節用部品をホルダ部３１の外側に被せるように装着する構成であってもよい。この場合、遊技球受入具２１の上下方向の移動の規制は、ホルダ部３１のホルダ側平板部３１ａが行い、位置調節用部品は、遊技球受入具２１の前後方向の移動の規制を行う。
【００６５】
〔実施の形態２〕
本発明のその他の実施の一形態について、図９、図１０を参照して説明する。なお、説明の便宜上、前記実施形態にて説明した部材と同じ機能を有する部材については、同じ符号を付記し、その説明を省略する。
【００６６】
本実施の形態に係る遊技媒体受入具の固定器具３０は、位置調節用部品３２に換えて、図９、図１０に示す位置調節用部品４０を備えている。この点が、実施の形態１に係る固定器具３０と異なる。図９は、本実施の形態に係る固定器具における位置調節用部品の斜視図である。図１０は、上記固定器具における位置調節用部品の平面図である。
【００６７】
図９、図１０に示すように、位置調節用部品４０は、４方向の何れの向きからもホルダ部３１に挿入（差し込み）可能となっている。当接バネ部３２ｃも角をなす２辺にそれぞれ形成されている。そして、正方形形状の部品側平板部３２ａの４辺に、第１〜第４係止溝３６−１〜３６−４が形成されている。第１〜第４係止溝３６−１〜３６−４は、ホルダ部３１に装着された状態で前側の立設壁部３１ｂと突き当たる各辺からの距離が互いに異なり、Ｌ１＜Ｌ６＜Ｌ５＜Ｌ２という関係になっている。
【００６８】
このような構成とすることで、位置調節用部品４０の挿入する際の向きを変えだけで、遊技球受入具２１における遊技機２からの離間距離を４段階で調節することが可能となる。
【００６９】
なお、このように４辺に係止溝３６を形成する構成では、位置調節用部品４０およびホルダ部３１を正方形形状としておくことが必要である。しかしながら、実施の形態１のように、相対する２辺にのみ係止溝３６を形成する構成では、正方形形状に形成する必要はなく、ホルダ部３１は矩形形状であってもよい。
【００７０】
また、複数の辺に係止溝３６を構成する場合にも、位置調節用部品は、正方形形状に限らず、例えば、正六角形形状としてもよい。図１１は、本実施の形態に係る変形例の固定器具の構成を示す平面図である。図１１に示すように、正六角形形状の位置調節用部品４２の場合、第１〜第６係止溝３６−１１〜３６−１６の６つを形成することができ、Ｌ１１〜Ｌ１６の６段階の位置調整が可能となる。なお、このような正六角形形状の位置調節用部品４２の場合は、矩形のホルダ部３１’に挿入された位置調節用部品４２の開口部３５より食み出している部分の１辺が、前後方向と平行となるように、ホルダ部３１を膳板５に取り付けられる。
【００７１】
また、実施の形態１，２では、１つの位置調節用部品３２，４０に係止溝３６を複数形成する構成を例示したが、複数形成する必要はない。つまり、位置調節用部品を係止溝が１つ形成された構成として、１つのホルダ部３１に対して、係止溝の位置が異なる位置調節用部品を複数、交換可能に備える構成であってもよい。
【００７２】
〔第３の実施の形態〕
本発明のその他の実施の一形態について、図１２を参照して説明する。なお、説明の便宜上、前記実施形態にて説明した部材と同じ機能を有する部材については、同じ符号を付記し、その説明を省略する。
【００７３】
図１２は、本実施の形態に係る遊技媒体受入具の固定構造を示す斜視図である。本実施の形態では、前述した遊技球受入具２１（図３参照）の脚部２３における底足部２４が吸盤５１にて構成されている。軸部２５に取り付けられる底足部２４を吸盤５１に代えることで、前述した固定器具３０（図３参照）を用いることなく、遊技球受入具２１の設置位置を容易に変更できる。また、前述した底足部２４の裏面に磁石を設ける構成としてもよい。その場合も、前述した固定器具３０を用いることなく、遊技球受入具２１の設置位置を容易に変更できる。但し、吸盤５１や磁石の場合、膳板５の面が平滑性や、磁石が吸着するなどの条件を満足する必要がある。これに対し、前記した固定器具を用いる構成は、そのような制約を受けることがない点で有利である。
【００７４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００７５】
１  遊技島
２  遊技機
３  台間機
５  膳板
６  遊技球供給装置
７  遊技盤
８  打球供給皿
９  下皿
１１  球計数機
２０  遊技球案内ユニット
２１  遊技球受入具（遊技媒体受入具）
２２  案内流路部
２３  脚部
２４  底足部
２５  軸部
３０  固定器具
３１、３１’  ホルダ部（固定部）
３１ａ  ホルダ側平板部（第２平板部）
３１ｂ  立設壁部
３１ｃ  取付部
３２、４０、４２  位置調節用部品
３２ａ  部品側平板部（第１平板部）
３５  開口部
３６  係止溝（係止部）
３６−１  第１係止溝
３６−２  第２係止溝
３６−３  第３係止溝
３６−４  第４係止溝
５１  吸盤
【図１】
2018102553.tif 000003
【図２】
2018102553.tif 000004
【図３】
2018102553.tif 000005
【図４】
2018102553.tif 000006
【図５】
2018102553.tif 000007
【図６】
2018102553.tif 000008
【図７】
2018102553.tif 000009
【図８】
2018102553.tif 000010
【図９】
2018102553.tif 000011
【図１０】
2018102553.tif 000012
【図１１】
2018102553.tif 000013
【図１２】
2018102553.tif 000014